(57)【要約】【課題】記憶装置がコンピュータから取り外された場合に確実に内部のデータを消去する記憶装置、記憶装置を備えたコンピュータ及び記憶装置のデータ消去方法を提供すること【解決手段】本発明にかかる記憶装置は、コンピュータと接続される記憶装置である。前記記憶装置は、前記コンピュータと接合され、前記記憶装置が前記コンピュータから取り外されるときに形状が変化する接合部と、前記記憶装置がデータを記憶する記憶部と、前記記憶部のデータを消去する消去部と、前記消去部の処理を制御する制御信号を出力する信号供給部と、前記信号供給部から前記消去部に前記制御信号を供給する制御信号線を備える。ここで前記制御信号線は前記接合部の形状変化に応じて切断され、前記消去部は前記制御信号線の切断に応じて前記記憶部を消去する。【選択図】図１
2014164584.tif 000002
【特許請求の範囲】
【請求項１】
コンピュータと接続される記憶装置であって、
前記コンピュータと接合され、前記記憶装置が前記コンピュータから取り外されるときに形状が変化する第１の接合部と、
前記記憶装置がデータを記憶する記憶部と、
前記記憶部のデータを消去する消去部と、
前記消去部の処理を制御する制御信号を出力する信号供給部と、
前記信号供給部から前記消去部に前記制御信号を供給する制御信号線と、を備え、
前記制御信号線は前記第１の接合部の形状変化に応じて切断され、前記消去部は前記制御信号線の切断に応じて前記記憶部を消去する、
記憶装置。
【請求項２】
前記記憶装置は、前記第１の接合部の形状変化に応じて動くカッター部をさらに備え、
前記制御信号線は、前記カッター部の近傍に配置されており、
前記カッター部は、前記第１の接合部の形状変化に応じて前記制御信号線を切断するように動く、
請求項１に記載の記憶装置。
【請求項３】
前記コンピュータは、凸状の第２の接合部を備え、
前記第１の接合部は、前記第２の接合部と接合するような凹状の接合部であり、前記第１の接合部の一側面に前記カッター部が設けられ、
前記制御信号線は、前記一側面に対向して配置されており、
前記第１の接合部と前記第２の接合部とが接合している状態において、当該第２の接合部の先端側は、当該第２の接合部の後端側に比較して、前記第１の接合部の前記一側面の方向に突出した突出し部を有しており、
前記第２の接合部が前記第１の接合部から引き抜かれる場合に、前記突出し部が前記第１の接合部の前記一側面に接触して圧力を加えることにより、当該第１の接合部の当該一側面が側方側に傾くことによって、前記カッター部が前記制御信号線と接触して当該制御信号線を切断する、
請求項２に記載の記憶装置。
【請求項４】
前記第２の接合部において、前記カッター部は、前記第２の接合部の底部よりも所定の距離だけ離れた位置に設けられている、
請求項３に記載の記憶装置。
【請求項５】
前記第２の接合部は断面が円形の接合部であり、当該第２の接合部の先端側の断面は、当該第２の接合部の後端側の断面に比較して大きい半径を有する、
請求項３又は４に記載の記憶装置。
【請求項６】
前記第１の接合部は断面の穴が円形の接合部であり、当該第１の接合部の頂部側の穴の半径は、前記第２の接合部の先端部側の断面の半径に比べて小さい、
請求項５に記載の記憶装置。
【請求項７】
請求項１〜６のいずれか一項に記載の記憶装置を有し、前記記憶部にアクセスしてデータの送受信を実行するコンピュータ。
【請求項８】
コンピュータと接続される記憶装置のデータ消去方法であって、
前記コンピュータと接合される接合部が、前記記憶装置が前記コンピュータから取り外されるときに形状が変化するステップと、
前記記憶装置のデータを消去する消去部を制御する制御信号を当該消去部に供給する制御信号線が、前記接合部の形状変化に応じて切断されるステップと、
前記消去部は前記制御信号線の切断に応じて前記記憶装置のデータを消去するステップと、
を備える記憶装置のデータ消去方法。
【発明の詳細な説明】
【技術分野】
【０００１】
本発明は記憶装置、記憶装置を備えたコンピュータ及び記憶装置のデータ消去方法に関する。
【背景技術】
【０００２】
コンピュータのＨＤＤ（Hard Disk Drive）には大容量の情報を記憶することが可能であり、ユーザが機密情報を格納させておくことがしばしばある。そのため、ＨＤＤは盗難等に遭ってしまう可能性がある。
【０００３】
このようなＨＤＤの盗難対策としては暗号化が一般的だが、暗号化は解析されてしまうリスクがある。このため、暗号化以外のＨＤＤの盗難対策も検討されている。
【０００４】
特許文献１、２には、ＨＤＤに認証機能を持たせることにより、ＨＤＤの盗難対策を実現する技術が開示されている。例えば特許文献１においては、ＨＤＤが備えられるコンピュータで予め設定した識別情報をＨＤＤに格納し、コンピュータからＨＤＤへ転送される識別情報が期待する情報と違う場合や所定時間内に転送されない場合に、ＨＤＤが内部の情報を消去する技術が開示されている。また特許文献２においては、ＨＤＤ内部に記憶されたデータの初期化の判断を、ＨＤＤ内に組み込まれている認証プログラムが接続先のコンピュータにより実行されることで行う技術が開示されている。
【０００５】
関連技術として、特許文献３においては、不正なＨＤＤが接続された場合に、そのＨＤＤの全領域の情報を消去するコンピュータ機器（データ処理装置）の技術が開示されている。
【先行技術文献】
【特許文献】
【０００６】
【特許文献１】特開２００９−２５８９７９号公報
【特許文献２】特開２０１１−０８６０７１号公報
【特許文献３】特開２００７−３１０６０９号公報
【発明の概要】
【発明が解決しようとする課題】
【０００７】
しかしながら特許文献１においては、ＨＤＤ内部のソフトウェアに異常が発生することにより、ＨＤＤから転送される識別情報が正しい情報であっても、その識別情報が異常な情報と誤検出されることにより内部のデータが初期化されてしまう可能性がある。特許文献２においても、認証プログラムの誤動作等により、ＨＤＤ内部に記憶されたデータの初期化が誤ってなされてしまう可能性がある。また特許文献３にかかる技術は、コンピュータの側でＨＤＤが不正なものであるか否かを判定するものであり、ＨＤＤ自体に盗難対策のための機構を持たせたものではない。
【０００８】
本発明は、このような問題点を解決するためになされたものであり、記憶装置がコンピュータから取り外された場合に確実に内部のデータを消去する記憶装置、記憶装置を備えたコンピュータ及び記憶装置のデータ消去方法を提供することを目的とする。
【課題を解決するための手段】
【０００９】
本発明の第１の態様は、コンピュータと接続される記憶装置を含む。この記憶装置は、前記コンピュータと接合され、前記記憶装置が前記コンピュータから取り外されるときに形状が変化する接合部と、前記記憶装置がデータを記憶する記憶部と、前記記憶部のデータを消去する消去部と、前記消去部の処理を制御する制御信号を出力する信号供給部と、前記信号供給部から前記消去部に前記制御信号を供給する制御信号線と、を備える。ここで前記制御信号線は前記接合部の形状変化に応じて切断され、前記消去部は前記制御信号線の切断に応じて前記記憶部を消去する。
【００１０】
本発明の第２の態様は、コンピュータと接続される記憶装置の初期化方法である。この初期化方法は、以下のステップ（ａ）〜（ｃ）を含む。
（ａ）前記コンピュータと接合される接合部が、前記記憶装置が前記コンピュータから取り外されるときに形状が変化すること、
（ｂ）前記記憶装置のデータを消去する消去部を制御する制御信号を当該消去部に供給する制御信号線が、前記接合部の形状変化に応じて切断されること、及び
（ｃ）前記消去部は前記制御信号線の切断に応じて前記記憶装置のデータを消去すること。
【発明の効果】
【００１１】
本発明により、記憶装置がコンピュータから取り外された場合に確実に内部のデータを消去する記憶装置、記憶装置を備えたコンピュータ及び記憶装置のデータ消去方法を提供することができる。
【図面の簡単な説明】
【００１２】
【図１】実施の形態１にかかる記憶装置の一例を示したブロック図である。
【図２】実施の形態２にかかるコンピュータの一例を示したブロック図である。
【図３】実施の形態２にかかるバックパネルコネクタ及びＨＤＤの詳細な構成の一例を示したブロック図である。
【図４】実施の形態２にかかる接続信号切断機構の詳細な構成の一例について示した図である。
【図５】実施の形態２にかかるリベット及びリベット接合部の詳細な形状の一例を示した断面図である。
【図６】実施の形態２にかかるリベットを基端部側から見たときの一例を示した上視図である。
【図７】実施の形態２にかかるリベット接続部を頂部側から見たときの一例を示した上視図である。
【図８Ａ】実施の形態２にかかるリベットがリベット接合部に接合されている状態の一例を示した断面図である。
【図８Ｂ】実施の形態２にかかるリベットがリベット接合部から引き抜かれ始めた状態の一例を示した断面図である。
【図８Ｃ】実施の形態２にかかるリベットがリベット接合部から引き抜かれている状態の一例を示した断面図である。
【図８Ｄ】実施の形態２にかかるリベットがリベット接合部から引き抜かれた状態の一例を示した断面図である。
【発明を実施するための形態】
【００１３】
実施の形態１
以下、図面を参照して本発明の実施の形態１について説明する。図１は、実施の形態１にかかる記憶装置の一例を示したブロック図である。記憶装置１はコンピュータ７に接続されるとともにコンピュータ７からの取り外しが可能な記憶装置であり、例えばＨＤＤなどの磁気記憶装置、光学記憶装置といった補助記憶装置である。
【００１４】
記憶装置１は、接合部２、記憶部３、消去部４、信号供給部５及び制御信号線６を備える。記憶装置１は、コンピュータと電気的に接続されているときのみにその電源が入るようになっていてもよいし、コンピュータと電気的に接続されていないときにも電源が入っていてもよい。
【００１５】
接合部２は、コンピュータ７の接合部８と物理的に接合される部分であり、例えば記憶装置１をコンピュータ７に安定して取り付けられるようにしている。接合部２は、記憶装置１がコンピュータ７から取り外され、接合部８との接合が外れるときに、その形状が変化する。接合部２は、接合部８との接合が外れるときに接合部８との接触面にかかる力に基づいて、一定程度の変形が起こる程度に剛性が低い材料で構成される。
【００１６】
記憶部３は、記憶装置１がデータを記憶する記憶部であり、例えば記憶装置１がＨＤＤである場合にはＨＤＤ内部のディスクである。
【００１７】
消去部４は、記憶部３のデータを消去する処理を実行する。消去部４は、後述の通り、制御信号の出力の有無に応じて記憶部３のデータを消去する。なお消去部４は、記憶部３に記憶された全てのデータを消去する。
【００１８】
信号供給部５は、消去部４の処理を制御する制御信号を、制御信号線６を介して消去部４に出力する。制御信号線６は、信号供給部５から消去部４に制御信号を供給しており、図１では、信号供給部５と消去部４とを直接接続している。なお制御信号線６は接合部２の形状変化に応じて切断される。
【００１９】
なお、様々な処理を行う機能ブロックとして図１に記載された記憶部３、消去部４及び信号供給部５の各要素は、ハードウェア的には、メモリやその他のＩＣ（Integrated Circuit）等の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００２０】
コンピュータ７は記憶装置１と物理的及び電気的に接続されるコンピュータであり、コンピュータ７が記憶装置１と接続されている場合には、コンピュータ７は適宜記憶部３にアクセスしてデータの送受信を実行する。コンピュータ７は、例えばＰＣ（Personal Computer）やサーバである。なおコンピュータ７において記憶部３とアクセスするのには、図示しないＣＰＵ（Central Processing Unit）などの演算装置やＲＡＭ（Random Access Memory）などのメインメモリが用いられる。
【００２１】
コンピュータ７は、記憶装置１と接続されているときに記憶装置１に電源を供給することによって、記憶装置１を動作させる。ここで記憶装置１と通信を実行したり電源を供給したりするのは接合部８を介してでもよいし、例えばＵＳＢ（Universal Serial Bus）といった他の接合部により電源が供給されてもよい。なお記憶装置１は、コンピュータと接続されているときにその電源が入り、各部の動作が可能なようになる。
【００２２】
接合部８は、記憶装置１の接合部２と接合される部分であり、接合部２の形状に対応した形状（例えば接合部２と嵌め込まれるような形状）を有する。図１では、接合部２が記憶装置１における凹部として、接合部８がコンピュータ７における凸部として示されている。
【００２３】
以下、コンピュータ７と記憶装置１とが接合部２、８を介して接合されている場合に、盗難者が記憶装置１をコンピュータ７から取り外す状態を考える。上述の通り、コンピュータ７から記憶装置１が取り外されるときに、接合部２は接合部８との接合が外れ、その形状が変化する。これにより、制御信号線６は接合部２の形状変化に応じて切断されるため、制御信号は消去部４に出力されない状態になる。なお、このとき記憶装置１の電源は入っていないため、記憶装置１の各部は動作を実行しない。
【００２４】
次に盗難者は、コンピュータ７と同じ接合部８を有するコンピュータに、記憶装置１を接続する。ここで記憶装置１の電源が入り、記憶装置１の各部が動作を開始する。このとき消去部４は、制御信号線６が切断されているため、信号供給部５からの制御信号を受信しない。これに応じて、消去部４は、記憶部３に記憶された全てのデータを消去する処理を実行する。
【００２５】
以上のメカニズムにより、記憶装置１は、コンピュータ７から取り外された場合に確実に内部のデータを消去することができる。このため、記憶装置１が盗難された場合であっても、内部のデータが流出することを防ぐことができる。
【００２６】
なお、記憶装置１は、コンピュータと電気的に接続されていないときにも、電源が入ることにより各部の動作が可能になっていてもよい。ここで記憶装置１は、各部に電源電圧を供給する電源回路を内部に有する。
【００２７】
上述の通り盗難者が記憶装置１をコンピュータ７から取り外したときに、接合部２は接合部８との接合が外れ、その形状が変化する。これにより、制御信号線６は接合部２の形状変化に応じて切断されるため、制御信号は消去部４に出力されない状態になる。このとき、記憶装置１の電源が入っており、記憶装置１の各部が動作しているため、消去部４はこの時点で記憶部３に記憶された全てのデータを消去する処理を実行する。これにより、記憶装置１はコンピュータ７から取り外されたときに、すぐデータを消去することができる。
【００２８】
なお消去部４は、記憶部３に記憶された全てのデータではなく、一部のデータ（例えば予めユーザによって機密情報として指定されたもの）のみを消去してもよい。これにより、ユーザが誤って記憶装置１をコンピュータ７から取り外してしまった場合でも、重要ではないデータについては記憶装置１に残したままにすることができる。
【００２９】
図１では、制御信号線６は直接消去部４に接続されている例を示したが、制御信号線６は消去部４に直接接続されなくてもよい。例えば信号供給部５は制御信号線６を介して制御信号を別の信号出力部に出力し、その信号出力部はその制御信号の有無に応じて、異なる信号を消去部４に出力するように記憶装置１を構成してもよい。上述の通り接合部２の形状変化により制御信号線６が切断されることにより、その信号出力部が消去部４に出力する信号は変化する。消去部４はその信号変化に応じて、記憶部３に記憶されたデータを消去する。
【００３０】
接合部２、８は、図１においてそれぞれ凹部、凸部であると説明したが、これは逆でもよい。さらに接合部２、８は、互いに接合するために凹凸が組み合わさった複雑な形状であってもよい。
【００３１】
実施の形態２
以下、図面を参照して本発明の実施の形態について説明する。図２は、実施の形態２にかかるコンピュータの一例を示したブロック図である。コンピュータ１０は、取り外しが可能なＨＤＤ１５を備えるコンピュータであり、例えばＰＣ等である。
【００３２】
以下、コンピュータ１０の構成について説明する。コンピュータ１０は、ＨＤＤ制御部１１、ＨＤＤバックパネル１２及びＨＤＤ２０を備える。
【００３３】
ＨＤＤ制御部１１は、コンピュータ１０においてＨＤＤ２０の処理を制御する働きをし、コンピュータ１０内部のＣＰＵ、メモリ等により構成される。コンピュータ１０はＨＤＤ制御部１１によりＨＤＤ２０にアクセスし、磁気ディスク２２とデータの送受信（転送）を実行する。ＨＤＤ制御部１１は、転送信号接続部１５を介して、データ転送を実行するデータ転送信号を送受信する。
【００３４】
ＨＤＤバックパネル１２は、バックパネルコネクタ１３を有しており、ＨＤＤ制御部１１とＨＤＤ２０間のインターフェースとなる。バックパネルコネクタ１３は、コンピュータ１０とＨＤＤ２０とを物理的に接合する部分である。
【００３５】
ＨＤＤ２０は、コンピュータ１０に備えられる取り外し可能なＨＤＤである。ＨＤＤ２０は、転送信号接続部においてコンピュータ１０と電気的に接続されているときのみにその電源が入るようになっている。
【００３６】
ＨＤＤ初期化部２１は、その一部がバックパネルコネクタ１３の一部と接合される。ＨＤＤ初期化部２１がバックパネルコネクタ１３と接合しなくなった場合に、ＨＤＤ初期化部２１は、磁気ディスク２２に記憶されたデータの初期化（記憶されたデータを全て削除すること）を実行する。
【００３７】
磁気ディスク２２は、ＨＤＤ２０においてデータを記憶する部分であり、実施の形態１における記憶部３に対応する。磁気ディスク２２は、ＨＤＤ制御部１１とデータ転送を実行するデータ転送信号を送受信する。
【００３８】
図３は、バックパネルコネクタ１３及びＨＤＤ２０の詳細な構成の一例を示したブロック図である。以下、図３を用いてバックパネルコネクタ１３の詳細な構成を説明する。
【００３９】
バックパネルコネクタ１３は、リベット１４及び転送信号接続部１５を有する。リベット１４はバックパネルコネクタ１３に実装されており、後述するＨＤＤ２０のリベット接合部２５と接合することによって、コンピュータ１０とＨＤＤ２０とを接合する。なおリベット１４の詳細な形状については後述する。
【００４０】
リベット１４はプラスチック製であり、リベット接合部２５との抜き差しによって形状が変化しない程度の剛性を有する。リベット１４は、そのような剛性を有するのであれば金属等の他の材料であってもよい。なおリベット１４は、実施の形態１にかかる接合部８に対応する。
【００４１】
転送信号接続部１５は、後述するＨＤＤ２０の転送信号接続部２３と電気的に接続される部分である。転送信号接続部１５は具体的に、ＨＤＤ制御部１１からのデータ転送信号を転送信号接続部２３を介して磁気ディスク２２に伝達するとともに、転送信号接続部２３を介して伝達された磁気ディスク２２からのデータ転送信号をＨＤＤ制御部１１に伝達する。また転送信号接続部１５は、コンピュータ１０からＨＤＤ２０に電源電圧を供給する。
【００４２】
次に図３を用いてＨＤＤ２０の詳細な構成を説明する。なお、ＨＤＤ２０はコンピュータ１０と電気的に接続されているときのみにその電源が入り、各部が動作する。
【００４３】
ＨＤＤ２０は、ＨＤＤ初期化部２１、磁気ディスク２２及び転送信号接続部２３を有する。転送信号接続部２３は転送信号接続部２３と電気的に接続されるよう形成された部分である。転送信号接続部２３は、転送信号接続部１５を介して伝達されたＨＤＤ制御部１１からのデータ転送信号を磁気ディスク２２に伝達するとともに、磁気ディスク２２からのデータ転送信号を転送信号接続部２３を介してＨＤＤ制御部１１に伝達する。また転送信号接続部２３は、転送信号接続部１５を介して供給された電源電圧をＨＤＤ２０の各部に供給する。
【００４４】
なお図３において、転送信号接続部１５はバックパネルコネクタ１３における凹部、転送信号接続部２３はＨＤＤにおける凸部となり、両者が接合するような形状で構成されているが、両者の形状はこれに限られたものではない。
【００４５】
ＨＤＤ初期化部２１は、接続信号切断機構２４、リベット接合部２５、接続信号線２６及びＨＤＤ初期化回路２７を有する。以下、各部について説明する。
【００４６】
接続信号切断機構２４は、バックパネルコネクタ１３（リベット１４）とＨＤＤ２０とが接続されていることを示す接続信号を、後述のＨＤＤ初期化回路２７に出力する。また接続信号切断機構２４は、リベット１４と接合するリベット接合部２５を有する。接続信号切断機構２４は、接続信号線２６を介して、接続信号切断機構２４から接続信号（ＨＤＤ２０がコンピュータ１０に接続されていると認識する信号）をＨＤＤ初期化回路２７に出力し、ＨＤＤ初期化回路２７が磁気ディスクに記録された情報の初期化を実行することを抑制している。接続信号切断機構２４の詳細な構成については後述する。なお接続信号切断機構２４は、実施の形態１における信号供給部５に対応する。
【００４７】
なお、リベット接合部２５は、リベット１４が引き抜かれるときに壊れず変形する程度に剛性が低い材料から構成される。リベット接合部２５は、実施の形態１における接合部２に対応する。
【００４８】
接続信号線２６は、接続信号切断機構２４の内部からＨＤＤ初期化回路２７に接続されている信号線であり、接続信号切断機構２４からＨＤＤ初期化回路２７に接続信号を伝達する働きをする。なお接続信号線２６は、実施の形態１における制御信号線８に対応する。
【００４９】
ＨＤＤ初期化回路２７は、初期化信号を磁気ディスク２２に出力することにより、磁気ディスク２２が記憶しているデータを初期化する処理を実行する。ただし、接続信号線２６から接続信号がＨＤＤ初期化回路２７に入力されている間は、ＨＤＤ初期化回路２７はこの処理を実行しない。なおＨＤＤ初期化回路２７は、実施の形態１における消去部４に対応する。
【００５０】
図４は、接続信号切断機構２４における詳細な構成の一例について示した図である。接続信号切断機構２４は、リベット接合部２５、接続信号線２６及びカッター部２８を備えている。
【００５１】
カッター部２８はリベット接合部２５の一側面に設けられており、リベット接合部２５の動きに合わせて、リベット接合部２５の側方にある接続信号線２６を切断する。ここで、接続信号線２６はリベット接合部２５においてカッター部２８が設けられた一側面に対向するようにして、リベット接合部２５の近傍に配線されている。
【００５２】
図５は、リベット１４（第２の接合部）及びリベット接合部２５（第１の接合部）の詳細な形状の一例について示した図である。以下図５を参照して、リベット１４及びリベット接合部２５の詳細な形状について説明する。
【００５３】
リベット１４は、先端部１４１、中間部１４２及び基端部１４３を有し、リベット接合部２５は、底部２５１、中間部２５２及び頂部２５３を有する。リベット１４の断面及びリベット接合部２５の断面は円形である。リベット１４は凸状の接合部であり、リベット接合部２５はリベット１４と接合するような凹状の接合部である。リベット接合部２５の内側の穴にリベット１４が入ることによって、両者が接合される。
【００５４】
まずリベット１４について説明する。リベット１４の先端部１４１は図５においてリベット１４の下方にあたる部分であり、リベット１４とリベット接合部２５とが接合する場合に、リベット１４において、バックパネルコネクタ１３がＨＤＤ２０と対向する面から最も離れた部分である。換言すれば、先端部１４１はリベット１４がリベット接合部２５と完全に接合したときに、リベット接合部２５の奥である中間部２５２に入る部分である。
【００５５】
基端部１４３は図５においてリベット１４の上方にあたる部分であり、リベット１４とリベット接合部２５とが接合する場合に、リベット１４において、バックパネルコネクタ１３がＨＤＤ２０と対向する面から最も近い部分である。換言すれば、基端部１４３はリベット１４がリベット接合部２５と完全に接合したときに、頂部２５３に入る部分である。
【００５６】
中間部１４２は図５においてリベット１４の中間にあたる部分であり、リベット１４において、先端部１４１と基端部１４３との間に挟まれた部分である。換言すれば、中間部１４２はリベット１４がリベット接合部２５と完全に接合したときに、リベット接合部２５の奥である中間部２５２に入る部分である（ただし、中間部１４２が入る中間部２５２の部分は、先端部１４１が入る部分に比較して頂部２５３寄りの部分である）。なお、先端部１４１及び中間部１４２はリベット１４における先端側の部分であり、なお、基端部１４３はリベット１４における後端側の部分である。
【００５７】
また、先端部１４１、中間部１４２及び基端部１４３の断面において、各部における最も長い半径（長手方向の長さ）をそれぞれｒ１、ｒ２及びｒ３と定義する。ここで、ｒ１、ｒ２及びｒ３には、ｒ１＜ｒ２及びｒ３＜ｒ２の大小関係がある。つまり、中間部１４２は、リベット１４において突出している突出し部（半径がｒ２の部分）を有する。このように、中間部１４２は、基端部１４３に比較して、カッター部２８が設けられた一側面の方向に少なくとも突出した突出し部を有する。
【００５８】
図６は、リベット１４を基端部１４３側から見たときのリベット１４の上視図である。図６から、ｒ３＜ｒ２の大小関係があることが確認できる。
【００５９】
次に、リベット接合部２５について説明する。リベット接合部２５の底部２５１は図５においてリベット接合部２５の底面である。リベット接合部２５の中間部２５２は図５においてリベット接合部２５の底部２５１の直上にあたる部分であり、リベット１４とリベット接合部２５とが接合する場合に、リベット接合部２５において、ＨＤＤ２０がバックパネルコネクタ１３と対向する面の最も奥の凹みになる部分である。なお、リベット接合部２５において、カッター部２８は、リベット接合部２５の底部２５１よりも所定の距離だけ離れた位置に設けられている。具体的には、リベット１４がリベット接合部２５から取り外されないで多少動いた場合に、カッター部２８が略静止状態にあるような位置にカッター部２８は設けられている。
【００６０】
リベット接合部２５の頂部２５３は図４においてリベット接合部２５の上方にあたる部分であり、リベット１４とリベット接合部２５とが接合する場合に、リベット接合部２５において、ＨＤＤ２０がバックパネルコネクタ１３と対向する面から最も手前の凹みの部分である。なお、中間部２５２はリベット接合部２５において底部側の穴を内部に有する部分であり、頂部２５３はリベット接合部２５において頂部側の穴を内部に有する部分である。
【００６１】
また、中間部２５２及び頂部２５３の断面において、各部における中心から縁までの長さ（即ち断面における半径）をそれぞれｒ４及びｒ５と定義する。ここで、ｒ４及びｒ５には、ｒ５＜ｒ４の大小関係がある。
【００６２】
なお、リベット１４及びリベット接合部２５におけるｒ１〜ｒ５には、ｒ１＜ｒ３＜ｒ４＜ｒ２＝ｒ５の大小関係がある。
【００６３】
図７は、リベット接合部２５を頂部２５３側から見たときのリベット１４の上視図である。図７から、ｒ５＜ｒ４の大小関係があることが確認できる。なお点線部は、リベット１４の先端部１４１及び中間部１４２が入る穴を示している。
【００６４】
図５に戻って説明を続ける。カッター部２８は、リベット接合部２５の側面部であって、中間部２５２及び頂部２５３に跨る部分に実装されている。このカッター部２８はいわゆるカッターナイフの刃の部分のことをいい、カッター部２８の刃縁２８１（カッター部２８において刃先の反対側にあり、対象物をカットしない部分）はリベット接合部２５の側面部に接着されている。カッター部２８の刃先２８２（カッター部２８が対象物を実際にカットする部分）はリベット接合部２５の側方に飛び出しており、リベット接合部２５の動きに合わせて、リベット接合部２５の側方部にある接続信号線２６を切断する。なお刃先２８２は、底部２５１側を向いている。
【００６５】
以下、ＨＤＤ２０がコンピュータ１０から取り外される場合、即ちリベット１４がリベット接合部２５から引き抜かれる場合に、接続信号線２６が切断されるメカニズムについて説明する。
【００６６】
図８Ａ〜図８Ｄは、リベット１４がリベット接合部２５に接合されている状態から、リベット１４がリベット接合部２５に接合されなくなった状態における接続信号切断機構２４の状態の一例を示したものである。リベット１４及びリベット接合部２５が以上のような形状を有することにより、リベット接合部２５は次のように動く。
【００６７】
図８Ａは、リベット１４がリベット接合部２５に接合されている状態の一例を示した図である。ここで、中間部２５２及び頂部２５３は底部２５１から略鉛直の状態にある。そのため、カッター部２８の刃先２８２と接続信号線２６との間には一定の距離があり、カッター部２８は接続信号線２６を切断していない。
【００６８】
図８Ｂは、リベット１４がリベット接合部２５から引き抜かれ始めた状態の一例を示した図である。図８Ｂにおいて、中間部１４２の突出部（半径がｒ２の部分）は、頂部２５３において中間部２５２と近い部分の端側に接している。ここで中間部２５２及び頂部２５３は、底部２５１から略鉛直の状態にあったのが、リベット接合部２５の側方側に傾き始める。換言すれば、中間部１４２の突出部が、カッター部２８が設けられたリベット接合部２５の一側面に接触して、側方側に圧力を加える。それに伴い、カッター部２８も傾き始めるため、刃先２８２と接続信号線２６との間の距離が短くなる。
【００６９】
図８Ｃは、リベット１４がリベット接合部２５から引き抜かれている状態の一例を示した図である。図８Ｃにおいて、中間部１４２の突出部は、頂部２５３において中間部２５２の中央部に接している。つまりリベット１４は図８Ｂの状態からさらに引き抜かれている。
【００７０】
ここで、中間部２５２及び頂部２５３は、図８Ｂに比較して、リベット接合部２５の側方にさらに傾く。図８Ｂに比較すると、カッター部２８が設けられた場所にかかる側方側への圧力はさらに増大する。それに伴い、カッター部２８はさらに傾き、刃先２８２と接続信号線２６とが接触する。そしてその状態からカッター部２８がさらに傾くことにより、図８Ｃに示す通り、刃先２８２は接続信号線２６を切断する。
【００７１】
図８Ｄは、リベット１４がリベット接合部２５から引き抜かれた状態の一例を示した図である。図８Ｄにおいて、リベット接合部２５は元の形状（図８Ａの形状）に戻る。しかし、接続信号線２６は図８Ａと異なり、切断されている。
【００７２】
以上、図８Ａ〜図８Ｄのようにして、リベット１４がリベット接合部２５から引き抜かれたときに、接続信号線２６はカッター部２８により切断される。なお、図８Ａの状態（リベット１４がリベット接合部２５と接合されている状態）での接続信号線２６とリベット接合部２５との距離は、リベット接合部２５が最大に変形した場合に、刃先２８２が接続信号線２６に届いて接続信号線２６を切断することが可能な距離以下の距離である。
【００７３】
ＨＤＤ２０が盗難者により引き抜かれた後、図８Ｄに示した通り接続信号線２６は切断されるため、接続信号切断機構２４からの接続信号がＨＤＤ初期化回路２７に供給されなくなる。その後、ＨＤＤ２０がコンピュータに接続され、電源電圧が供給されて各部が起動したときに、ＨＤＤ初期化回路２７は、接続信号が出力されていないことを認識する。これにより、ＨＤＤ初期化回路２７は、磁気ディスク２２が記憶しているデータを初期化する処理を実行する。
【００７４】
このようにＨＤＤ２０は、コンピュータ１０から取り外されたときにＨＤＤ初期化回路２７を制御する制御信号にかかる制御信号線を切断する機構を有しているため、他のコンピュータでＨＤＤ２０が起動されてもＨＤＤ２０のデータが消去される。従って、ＨＤＤ２０はデータ流出を防止することができるため、盗難対策として有効なＨＤＤである。
【００７５】
なお、特許文献１におけるＨＤＤでは、ＨＤＤが識別情報の異常を誤検出して内部のデータを初期化してしまう可能性があった。特許文献２でも、データ初期化の判断をＨＤＤ内に組み込まれている認証プログラムの実行によって判断していたため、故障などによる認証プログラムの誤動作等によって誤ってＨＤＤ内部のデータが消去されてしまう可能性があった。しかし、実施の形態２にかかるＨＤＤ２０は物理的に信号線を切断することによって異常を検知する仕組みを有するため、以上に示した問題点を有さない。
【００７６】
また、実施の形態２におけるＨＤＤ２０は、リベット接合部２５の形状変化に応じて動くカッター部２８と、カッター部２８の近傍に配置された接続信号線２６を備える。ここでカッター部２８は、リベット接合部２５の形状変化に応じて接続信号線２６を切断するように動く。ＨＤＤ２０はこのような簡易な構成によって、接続信号線２６を切断することができる。
【００７７】
具体的には、実施の形態２におけるコンピュータ１０は、凸状のリベット１４を備える。またリベット接合部２５は、リベット１４と接合するような凹状の接合部であり、リベット接合部２５の一側面にカッター部２８が設けられる。ここで接続信号線２６は、リベット接合部２５の一側面に対向して配置されている。ここでリベット１４とリベット接合部２５とが接合している状態において、リベット１４の先端側の形状は、リベット接合部２５の後端側の形状に比較して、リベット接合部２５の一側面の方向に突出した突出し部を有する。ここでリベット１４がリベット接合部２５から引き抜かれる場合に、突出し部がリベット接合部２５の一側面に接触して圧力を加えることにより、リベット接合部２５の一側面が側方側に傾くことによって、カッター部２８が接続信号線２６と接触して接続信号線２６を切断する。このような簡易な構成によって、リベット１４がリベット接合部２５から引き抜かれる際の力がカッター部２８を動かす力に変換され、カッター部２８は容易に接続信号線２６を切断することが可能になる。
【００７８】
リベット接合部２５において、カッター部２８は、リベット接合部２５の底部２５１よりも所定の距離だけ離れた位置に設けられている。これにより、リベット１４が少し動いただけでカッター部２８が動き、接続信号線２６を切断することを避けることができる。つまり、ユーザが誤ってリベット１４を動かしてしまった程度で接続信号線２６が切断され、ＨＤＤ２０の初期化が実行されてしまうことを防いでいる。
【００７９】
リベット１４は、汎用的な円柱型のリベット（断面が円形であるリベット）で構成することができる。ここでリベット１４の先端側の断面は、リベット１４の後端側の断面に比較して大きい半径を有する。これにより、リベット１４がリベット接合部２５に接合されている場合にはリベット１４の後端側がリベット接合部２５のカッター部２８が設けられた一側面に接し、リベット１４がリベット接合部２５から抜き出された場合には、リベット１４の先端側がその一側面に接触することになる。この場合、前者よりも後者の方が一側面にかかる圧力が大きくなるため、カッター部２８を側方に動かすことができる。
【００８０】
リベット接合部２５は、そのようなリベット１４の形状に対応して、断面の穴を円形とすることができる。ここでリベット接合部２５の頂部側の穴の半径は、先端部側の断面の半径に比べて小さく設定される。これにより、リベット１４がリベット接合部２５から抜き出された場合に、リベット１４の先端側がその一側面にかける圧力をさらに増すことができる。したがって、カッター部２８をより簡易に側方に動かすことができる。
【００８１】
なお、本発明は上記実施の形態に限られたものではなく、趣旨を逸脱しない範囲で適宜変更することが可能である。例えば、先端部１４１、中間部１４２及び基端部１４３におけるｒ１〜ｒ３と、中間部２５２及び頂部２５３の断面におけるｒ４、ｒ５の大小関係の値は、実施の形態２に示した通りに限られない。
【００８２】
リベット１４、リベット接合部２５の断面の形状は円形でなくてもよい（例えば多角形でもよい）。このような場合でも、リベット１４、リベット接合部２５の各部においては、実施の形態２に示した所定の関係がある長さを有することが望ましい。理由については上述の通りである。
【００８３】
カッター部２８の刃先２８２は、底部２５１側ではなく、逆方向を向いていてもよい。リベット接合部２５は弾性を必ずしも有する必要はなく、図８Ｄの段階で形状が図８Ａの状態に戻らなくてもよい。さらにリベット接合部２５は、カッター部２８が実装された一側面側だけが、リベット１４が引き抜かれる際に形状変化し、他の部分は形状変化しないような構成であってもよい。これにより、リベット１４が引き抜かれる際に、力が一側面方向のみにかかるため、カッター部２８がより動きやすくなる。
【００８４】
なお、接続信号切断機構２４内部において切断される制御信号線と、接続信号切断機構２４からＨＤＤ初期化回路２７に接続される接続信号線２６は同じものでなくてもよい。このとき、接続信号切断機構２４は、内部の制御信号線が切断されたときに、接続信号線２６を介してＨＤＤ初期化回路２７に出力する信号を変化させる。換言すれば、接続信号切断機構２４は、ＨＤＤ２０が取り外される前は、ＨＤＤ２０が取り外されていないことを示す接続信号を常にＨＤＤ初期化回路２７に出力する。ＨＤＤ２０が取り外された後にＨＤＤ２０が起動された際には、接続信号切断機構２４は、ＨＤＤ２０が取り外されたことを示す接続信号を常にＨＤＤ初期化回路２７に出力する。これにより、ＨＤＤ２０が取り外されたことを認識したＨＤＤ初期化回路２７が作動し、ＨＤＤ２０内に記憶されたデータを初期化する。
【００８５】
ＨＤＤ２０は、取り外されたそのときに、ＨＤＤ初期化回路２７が初期化を実行するようにしてもよい。ここでＨＤＤ２０は内部に電源を有することにより、内部の起動を可能にしている。
【００８６】
本発明は、例えばセキュリティ対策やデータ流出防止が求められる記憶装置やコンピュータに適用することができる。
【符号の説明】
【００８７】
１  記憶装置
２  接合部
３  記憶部
４  初期化部
５  信号供給部
６  制御信号線
７  コンピュータ
８  接合部
１０  コンピュータ
１１  ＨＤＤ制御部
１２  ＨＤＤバックパネル
１３  バックパネルコネクタ
１４  リベット
１４１  先端部
１４２  中間部
１４３  基端部
１５  転送信号接続部
２０  ＨＤＤ
２１  ＨＤＤ初期化部
２２  磁気ディスク
２３  転送信号接続部
２４  接続信号切断機構
２５  リベット接合部
２５１  底部
２５２  中間部
２５３  頂部
２６  接続信号線
２７  ＨＤＤ初期化回路
２８  カッター部
２８１  刃縁
２８２  刃先
【図１】
2014164584.tif 000003
【図２】
2014164584.tif 000004
【図３】
2014164584.tif 000005
【図４】
2014164584.tif 000006
【図５】
2014164584.tif 000007
【図６】
2014164584.tif 000008
【図７】
2014164584.tif 000009
【図８Ａ】
2014164584.tif 000010
【図８Ｂ】
2014164584.tif 000011
【図８Ｃ】
2014164584.tif 000012
【図８Ｄ】
2014164584.tif 000013